(57)【要約】【課題】  照明光の一部が外部に漏れることを防止できる操作入力装置を提供すること。【解決手段】  光源１２１と、背面側に位置する光源１２１からの光によって照明される照明部１０９を備えた表示パネル１１６と、表示パネル１１６の前面側に配置され、照明部１０９を外部に露出する開口窓１１７ａを有し、照明部１０９に設けた第１照明部１１０ａが開口窓１１７ａから外部に露出する第１操作位置と、第１照明部１１０ａが開口窓１１７ａから外部に露出しない第２操作位置との間をスライド移動可能な操作ノブ１０３と、操作ノブ１０３のスライド移動、および、スライド方向を検知するスライド検知部１２６とを備えた操作入力装置１０１において、スライド検知部１２６によって操作ノブ１０３の第１操作位置から第２操作位置への移動を検知すると、第１照明部１１０ａを照明する第１光源１２１ａを点灯状態から消灯状態へと変化させる制御部２０１を備えた。【選択図】図９
2011016452.tif 000002
【特許請求の範囲】
【請求項１】
光源と、背面側に位置する前記光源からの光によって照明される照明部を備えた表示パネルと、該表示パネルの前面側に配置され、前記照明部を外部に露出する開口窓を有し、前記照明部に設けた第１照明部が前記開口窓から外部に露出する第１操作位置と、前記第１照明部が前記開口窓から外部に露出しない第２操作位置との間をスライド移動可能な操作ノブと、前記操作ノブのスライド移動、および、スライド方向を検知するスライド検知部と、を備えた操作入力装置において、前記スライド検知部によって前記操作ノブの前記第１操作位置から前記第２操作位置への移動を検知すると、前記第１照明部を照明する第１光源を点灯状態から消灯状態へと変化させる制御部を備えたことを特徴とする操作入力装置。
【請求項２】
前記制御部は、前記スライド検知部によって前記操作ノブの前記第２操作位置から前記第１操作位置への移動を検知すると、前記第１光源を消灯状態から点灯状態へと変化させることを特徴とする請求項１に記載の操作入力装置。
【請求項３】
前記照明部は、前記操作ノブが第２操作位置にあるときに前記開口窓から外部に露出する第２照明部を備えるとともに、前記光源には、前記第２照明部を照明する第２光源を備え、前記制御部は、前記スライド検知部によって前記操作ノブの前記第２操作位置への移動を検知すると、前記第２光源を点灯状態とすることを特徴とする請求項１、または、２に記載の操作入力装置。
【発明の詳細な説明】
【技術分野】
【０００１】
本発明は、車両に搭載される空調装置等を操作するための操作入力装置に関する。
【背景技術】
【０００２】
車両の空調装置を制御する操作入力装置として、特許文献１には、操作ノブの内側にプッシュスイッチが設けられたものが開示されている。このような操作入力装置によれば、操作ノブを回転させて空調装置の温度調節等（「回転調節」）が行える一方で、プッシュスイッチをプッシュ操作することで、空調装置のオートモードのＯＮ／ＯＦＦ等（「プッシュ切替」）が行える。
【先行技術文献】
【特許文献】
【０００３】
【特許文献１】特開２００５−０２６０４６号公報
【発明の概要】
【発明が解決しようとする課題】
【０００４】
近年、運転手席側と助手席側とを別々に設定変更できる車両用の空調装置が普及している。このような空調装置が搭載された車両には、特許文献１に記載されたような操作入力装置とは別に、操作の対象としたい席側を選択（「左右選択」）するためのスライドスイッチ等の入力装置を独立して設ける必要がある。
【０００５】
このスライド式の入力装置１０は、例えば、図１２（ａ）に示すように、基板１１上に設けられた光源としてのＬＥＤ１２と、ＬＥＤ１２を取り囲むように配置された四角筒状の照明ボックス１３と、ＬＥＤ１２とは反対側の照明ボックス１３の開口を塞ぐように取り付けられた照明パネル１４と、照明パネル１４の前面側に配置され左右方向にスライド可能な操作部材１５と、操作部材１５の左右方向へのスライド移動を検知する図示しない検知部（スイッチ等）とを備えている。
【０００６】
照明パネル１４には、操作部材１５の中央部に設けられた開口窓１６から前面側へ露出する２つの表示マーク１４ａ、１４ｂが設けられている。表示マーク１４ａ、１４ｂは、操作部材１５の操作状態を示すものであり、開口窓１６の左側に位置する表示マーク１４ａは、左を意味する「Ｌ」の文字と左側を頂点とする三角マークとによって構成されている。また、開口窓１６の右側に位置する表示マーク１４ｂは、右を意味する「Ｒ」の文字と右側を頂点とする三角マークとによって構成されている。
【０００７】
この入力装置１０は、図１２（ａ）に示すように、操作部材１５の開口窓１６から２つの表示マーク１４ａ、１４ｂが外部に露出する中立状態においては、空調装置の設定操作の対象が運転手席側と助手席側との両方となるようになっている。そして、中立状態から操作部材１５を左側にスライド操作すると、検知部によって操作部材１５の左側への移動が検知され、空調装置の設定操作の対象が助手席側に切り替えられる。また、操作部材１５が左側にスライド移動すると、図１２（ｂ）に示すように、右側の表示マーク１４ｂの前方側が操作部材１５によって覆われ、操作部材１５の開口窓１６には、表示マーク１４ａの「Ｌ」の文字、および、三角マークのみが外部から認識可能となる。これにより、空調装置の設定操作の対象が、現在、助手席側となっている状態であることが外部より容易に認識可能となる。一方、前記中立状態から操作部材１５を右側にスライド操作すると、検知部によって操作部材１５の右側への移動が検知され、空調装置の設定操作の対象が運転席側に切り替えられる。また、操作部材１５が右側にスライド移動すると、図１２（ｃ）に示すように、左側の表示マーク１４ａの前方側が操作部材１５によって覆われ、操作部材１５の開口窓１６には、表示マーク１４ｂの「Ｒ」の文字、および、三角マークのみが外部から認識可能となる。これにより、空調装置の設定操作の対象が、現在、運転手席側となっている状態であることが外部より容易に認識可能となる。なお、表示マーク１４ａ、１４ｂは、透光性であり、背面側からのＬＥＤ１２の照明光によって照明され、夜間でも認識可能となっている。
【０００８】
しかし、この入力装置１０は、例えば、図１２（ｂ）に示すように、一方側の表示マーク１４ｂが操作部材１５によって前方側が閉鎖された状態で照明されると、一方側の表示マーク１４ｂを透過したＬＥＤ１２の照明光が、照明パネル１４と操作部材１５との隙間（図１２（ｂ）の隙間Ａ）から外部に漏れてしまう場合があり、見栄えが悪いものとなっていた。本発明は、照明光の一部が外部に漏れることを防止できる操作入力装置を提供することを課題とする。
【課題を解決するための手段】
【０００９】
本発明の操作入力装置は、光源と、背面側に位置する前記光源からの光によって照明される照明部を備えた表示パネルと、該表示パネルの前面側に配置され、前記照明部を外部に露出する開口窓を有し、前記照明部に設けた第１照明部が前記開口窓から外部に露出する第１操作位置と、前記第１照明部が前記開口窓から外部に露出しない第２操作位置との間をスライド移動可能な操作ノブと、前記操作ノブのスライド移動、および、スライド方向を検知するスライド検知部と、を備えた操作入力装置において、前記スライド検知部によって前記操作ノブの前記第１操作位置から前記第２操作位置への移動を検知すると、前記第１照明部を照明する第１光源を点灯状態から消灯状態へと変化させる制御部を備える。
【００１０】
この構成によれば、操作ノブの操作によって第１照明部が操作ノブの開口窓からずれて、第１照明部の前面側が操作ノブによって閉塞された場合、第１照明部を照明する第１光源を消灯状態とするように構成しているため、第１照明部を照明する光が、操作ノブと表示パネルとの間から外部に漏れることを防止できる。また、第１光源を消灯状態とすることで、消費電力を削減することができる。
【００１１】
前記制御部は、前記スライド検知部によって前記操作ノブの前記第２操作位置から前記第１操作位置への移動を検知すると、前記第１光源を消灯状態から点灯状態へと変化させるようにしてもよい。
【００１２】
この構成によれば、操作ノブの操作によって第１照明部の閉塞が解除され、第１照明部が開口窓から外部に露出する状態では、第１光源を点灯状態とするように構成している。これにより、第１照明部が外部より目視可能な状態では、第１照明部を照明された状態に復帰させることが可能となる。
【００１３】
前記照明部は、前記操作ノブが第２操作位置にあるときに前記開口窓から外部に露出する第２照明部を備えるとともに、前記光源には、前記第２照明部を照明する第２光源を備え、前記制御部は、前記スライド検知部によって前記操作ノブの前記第２操作位置への移動を検知すると、前記第２光源を点灯状態とするようにしてもよい。
【００１４】
この構成によれば、操作ノブが第２操作位置に移動して、第１照明部を照明する第１光源が消灯状態となっても、第２照明部は第２光源によって照明された状態となっているため、照明部全体の照明が消えることなく、夜間でも操作ノブの操作位置等を確認することが可能となる。
【発明の効果】
【００１５】
本発明によれば、操作ノブの操作によって第１照明部が操作ノブの開口窓からずれて、第１照明部の前面側が操作ノブによって閉塞された場合、第１照明部を照明する第１光源を消灯状態とするように構成しているため、第１照明部を照明する光が、操作ノブと表示パネルとの間から外部に漏れることを防止できる。また、第１光源を消灯状態とすることで、消費電力を削減することができる。
【図面の簡単な説明】
【００１６】
【図１】操作入力装置の外観斜視図である。
【図２】前方から見た操作入力装置の分解斜視図である。
【図３】後方から見た操作入力装置の分解斜視図である。
【図４】係合部を示す正面図である。
【図５】操作入力装置を底面側から見た断面図である。
【図６】操作入力装置を左側面側から見た断面図である。
【図７】操作入力装置の回転動作を示す、一部を破断させた正面図である。
【図８】ベースの動きを示す平面図である。
【図９】操作入力装置の傾倒動作を示す、底面側から見た断面図である。
【図１０】傾倒保持機構の動きを示す正面図である。
【図１１】制御回路を示すブロック図である。
【図１２】従来の操作入力装置を示す平面図、および、断面図である。
【発明を実施するための形態】
【００１７】
本発明の実施の一形態について、図１ないし図１１に基づいて説明する。
【００１８】
図１は、操作入力装置１０１の外観斜視図である。本実施の形態の操作入力装置１０１は、車両の運転席側及び助手席側を独立して温度調節可能な空調装置の制御部２０１（図１１に図示）に接続されている。操作入力装置１０１は、車両内のインスツルメントパネル１０１ａに設けられる。インスツルメントパネル１０１ａには、正円形状の開口部１０１ｂが形成されている。そして、操作入力装置１０１は、インスツルメントパネル１０１ａの開口部１０１ｂから迫り出し車両の後方に向けて突出するよう配置される。操作入力装置１０１は、略半球形状であって頂部に意匠面１０２を有している。操作入力装置１０１が上記のように配置される結果、意匠面１０２は露出して、車両後方側に向けられる。
【００１９】
操作入力装置１０１は、操作ノブ１０３を有する。操作ノブ１０３は、意匠面１０２を囲むように、操作ノブ１０３の軸Ｘに対する軸回り方向Ｒに回転自在に設けられている。軸回り方向Ｒは、意匠面１０２に弧状矢印１０４で示されている。また、この操作ノブ１０３は、軸回り方向Ｒに直交する傾倒方向Ｔに傾倒可能である。傾倒方向Ｔは、車両における左右方向に一致している。この傾倒方向Ｔは、意匠面１０２に三角印１０５で示されている。そして、操作ノブ１０３は、傾倒保持機構１０６（図１０に基づいて後述）によって、左傾倒位置（第３操作位置）、中立位置（第１操作位置）、右傾倒位置（第２操作位置）のいずれかの位置で保持される。
【００２０】
意匠面１０２には、ＤＵＡＬポインタ１０７が設けられている。このＤＵＡＬポインタ１０７は、操作ノブ１０３が左方向又は右方向のいずれかに傾倒された場合、空調装置に備わる制御部２０１の制御によって点灯する。ＤＵＡＬポインタ１０７の点灯は、空調装置が「ＤＵＡＬモード」にあることを示す。ＤＵＡＬモードとは、運転席側又は助手席側のいずれか一方のみの温度調節を行うためのモードである。本実施の形態のＤＵＡＬモード下では、操作者が操作ノブ１０３を回転させることによって、操作ノブ１０３の傾倒方向に対応する席の目標温度の変更が可能になる。ＤＵＡＬモードは、操作ノブ１０３が中立位置に戻され、さらに操作ノブ１０３に回転操作が加えられた場合に解除される。「ＤＵＡＬモード」の解除によって、空調装置は「通常モード」にモード移行し、ＤＵＡＬポインタ１０７は消灯する。通常モード下では、操作者が操作ノブ１０３を回転させることによって、運転席側及び助手席側の双方の目標温度の変更が可能になる。
【００２１】
意匠面１０２には、ＡＵＴＯポインタ１０８も設けられている。このＡＵＴＯポインタ１０８は、意匠面１０２が押された場合、空調装置に備わる制御部２０１の制御によって、点灯／消灯が切り替わる。ＡＵＴＯポインタ１０８の点灯は、空調装置が「ＡＵＴＯモード」にあることを示す。ＡＵＴＯモードとは、操作ノブ１０３の操作によって設定された目標温度に対し、車内の温度がその目標温度と同じになるように、風の温度、風量、および、送風方向を自動調整するよう空調装置が駆動するモードである。
【００２２】
意匠面１０２には、助手席側に対応する左側端部に位置し、「Ｌ」の文字状に形成された第１照明部１１０ａと、運転席側に対応する右側端部に位置し、「Ｒ」の文字状に形成された第２照明部１１０ｂとが設けられている。これら、第１照明部１１０ａと、第２照明部１１０ｂと、ＤＵＡＬポインタ１０７と、ＡＵＴＯポインタ１０８と、弧状矢印１０４と、三角印１０５と、中央に位置する「ＰＵＳＨ」、「ＡＵＴＯ」、「ＤＵＡＬ」の文字とは、いずれも透光性の部材で形成され、照明用ＬＥＤ１２１やポインタ用ＬＥＤ１２２（いずれも図２参照）からの光を前方側に透過させて光る照明部１０９となる。
【００２３】
図２は、前方から見た操作入力装置１０１の分解斜視図である。操作入力装置１０１は、基体としての基板１１１を備える。基板１１１には、短筒形状のホルダ１１２の一方の端面が固定される。以下、この端面を固定端面１１２ａと呼ぶ。また、ホルダ１１２の固定端面１１２ａとは反対側の端面を開放端面１１２ｂと呼ぶ。ホルダ１１２の外周には、リング形状のロータ１１３が位置付けられる。また、ホルダ１１２の外周であって、ロータ１１３よりも開放端面１１２ｂ寄りの位置には、リング形状のベース１１４が取り付けられる。また、ホルダ１１２の開放端面１１２ｂの開口部１１２ｃには、スライダ１１５が挿入される。スライダ１１５は、ホルダ１１２よりも径の小さい短筒形状を有している。スライダ１１５には、その開口端面１１５ａを覆うように、前述した意匠面１０２を有する表示パネルであるプッシュノブ１１６が取り付けられる。
【００２４】
前述した操作ノブ１０３は、アッパー部材１１７とアンダー部材１１８とにより構成される。アッパー部材１１７は、略半球形状をなしており、中央に正円形状の開口窓１１７ａを有している。アッパー部材１１７は、プッシュノブ１１６の意匠面１０２側に位置付けられ、開口窓１１７ａから意匠面１０２を露出させている。アンダー部材１１８は、ベース１１４と略同じ内径を有し、ベース１１４よりも外径が大きいリング形状の部材である。アンダー部材１１８は、ホルダ１１２の外周であって、ベース１１４と基板１１１とに挟まれる位置に配置される。このアンダー部材１１８とアッパー部材１１７とが組み付けられることで、操作ノブ１０３が構成される。
【００２５】
以上に述べた要素のうち、ロータ１１３とアンダー部材１１８とホルダ１１２とベース１１４とスライダ１１５とプッシュノブ１１６とアッパー部材１１７は、いずれも正面側から見て円形状に形成されており、ホルダ１１２の軸Ｘ（図１参照）と同軸になるよう配置されている。
【００２６】
基板１１１は、略正方形形状の平板である。基板１１１には、ホルダ１１２の固定端面１１２ａ側に設けられた雌ネジ孔１１２ｄ（図３参照）に雄ネジ１１９（図３参照）を用いてネジ留めするためのネジ孔１２０が設けられている。基板１１１の表面側には、照明用ＬＥＤ１２１とポインタ用ＬＥＤ１２２とが配置されている。照明用ＬＥＤ１２１は、左右方向に等間隔に三つ配置されている。照明用ＬＥＤ１２１は、左側に位置して意匠面１０２の第１照明部１１０ａを照明する第１光源である第１照明用ＬＥＤ１２１ａと、右側に位置して意匠面１０２の第２照明部１１０ｂを照明する第２光源である第２照明用ＬＥＤ１２１ｂと、中央に位置して意匠面１０２の弧状矢印１０４、三角印１０５、および、「ＤＵＡＬ」、「ＡＵＴＯ」等の文字を照明する中央照明用ＬＥＤ１２１ｃとを備えている。この照明用ＬＥＤ１２１ａ、１２１ｂ、１２１ｃは、制御部２０１の制御信号によって各照明用ＬＥＤ１２１ａ、１２１ｂ、１２１ｃを点灯、または消灯させる各ドライブ回路２０２ａ、２０２ｂ、２０２ｃ（図１１に図示）を介して制御部２０１に接続されている。すなわち、照明用ＬＥＤ１２１ａ、１２１ｂ、１２１ｃは、空調装置の制御部２０１の制御により点灯／消灯する。
【００２７】
また、ポインタ用ＬＥＤ１２２は、中央に位置する一の中央照明用ＬＥＤ１２１ｃを挟んで上下対称となる位置に二つ配置されている。ポインタ用ＬＥＤ１２２から発せられた光は、導光部材１２３（後述）を介して、ＡＵＴＯポインタ１０８やＤＵＡＬポインタ１０７に伝達される。この上側のポインタ用ＬＥＤ１２２ａは、クリックスイッチとしてのタクトスイッチ１２４のオン／オフに連動して、空調装置の制御部２０１の制御により点灯／消灯する。タクトスイッチ１２４は、基板１１１の表面側であって、中央に位置する中央照明用ＬＥＤ１２１ｃと右側に位置する第２照明用ＬＥＤ１２１ｂとの間に設けられる。タクトスイッチ１２４は、内部に板バネ（図示せず）が配置されており、クリック動作がなされた後にその板バネの付勢力によって復帰するモーメンタリ（自動復帰）式のものである。また、下側のポインタ用ＬＥＤ１２２ｂは、揺動スイッチ１２６のオン／オフに連動して、空調装置の制御部２０１の制御により点灯／消灯するものであり、上述したようにＤＵＡＬポインタ１０７を操作ノブ１０３の傾倒操作に応じて点灯／消灯させる。
【００２８】
基板１１１の表面側には、フォトインタラプタ１２５も設けられている。フォトインタラプタ１２５は、透過型のものであって、溝１２５ａが左右方向に向き、検出光（図示せず）が上下方向に向くよう配置される。このフォトインタラプタ１２５は、検出光の波形の位相が９０度ずれるように二つ配置される。
【００２９】
基板１１１の表面側には、左右方向に揺動する揺動体１２６ａを有する揺動スイッチ１２６も設けられている。揺動スイッチ１２６は、二方向三接点スイッチであり、揺動体１２６ａの向きに応じて、左側に向けられた状態、中立状態、右側に向けられた状態とでそれぞれ異なる電気信号が出力される。
【００３０】
ロータ１１３は、リング形状の部材である。ロータ１１３の基板１１１側を向く面には、スリット１２７が形成されている。ロータ１１３は、このスリット１２７を有する面をフォトインタラプタ１２５の溝１２５ａの内部に位置付けるよう配置される。そして、フォトインタラプタ１２５では、スリット１２７を通過する検出光を検出することで、ロータ１１３の回転が検知される。すなわち、フォトインタラプタ１２５とロータ１１３のスリット１２７とは、回転検知部１２８を構成する。また、ロータ１１３の外周右側面には、突出部１２９が形成されている。突出部１２９については、図４に基づいて後述する。
【００３１】
アンダー部材１１８は、ロータ１１３よりも内径が大きいリング状の部材である。アンダー部材１１８の外周面には、アッパー部材１１７の組付部１１７ｂ（図３参照）と係合する被組付部１１８ａが形成されている。また、アンダー部材１１８の内周右側面には、溝部１３０が形成されている。溝部１３０については、図４に基づいて後述する。
【００３２】
ホルダ１１２は、固定端面１１２ａ寄りの外周に、開放端面１１２ｂの外周よりも外周径を小さく形成された小径部１３１を有する。そして、小径部１３１にはロータ１１３が配設されている。ロータ１１３は、ホルダ１１２に同軸上で回動自在に支持されている。ここで、開放端面１１２ｂ寄りの外周を、大径部１３２と称する。大径部１３２の外周上面及び小径部１３１の外周上面には、それぞれ、内側に凹んだ凹部１３３が形成されている。それぞれの凹部１３３には、ホルダ１１２の外周面から外側に向けて軸部１３４が突設されている。また、大径部１３２の外周には、ベース１１４の軸回り方向Ｒの回転動作を規制するための回転規制受部１３５が設けられている。回転規制受部１３５は、ベース１１４の回転規制突部１３６（後述）に対応させて四つ設けられている。回転規制受部１３５については、図８に基づいて後述する。また、ホルダ１１２の大径部１３２側には、開放端面１１２ｂ側の方向に開口するバネ受孔１５１が設けられている。バネ受孔１５１にはスプリング１５２が挿入され、さらにスチールボール１５３が挿入される。
【００３３】
ベース１１４は、内径がホルダ１１２の大径部１３２の外径よりも大きいリング形状の部材である。ベース１１４の内周には、左右方向に延びる四つの回転規制突部１３６が設けられている。回転規制突部１３６は、基板１１１に対して傾斜する斜辺１３６ａを有する。回転規制突部１３６については、図８に基づいて後述する。
【００３４】
図３は、後方から見た操作入力装置１０１の分解斜視図である。引き続き、ベース１１４について説明する。ベース１１４の内周上方には、操作部１３７が設けられている。操作部１３７は、ベース１１４の内周の上方から垂下し、さらに基板１１１に向けて延びる突設部材１３８の先端に形成され、揺動スイッチ１２６の揺動体１２６ａと係合するよう凹形状に形成されている。また、ベース１１４の内周下方には、傾倒保持部材１３９が設けられている。傾倒保持部材１３９については、図１０に基づいて後述する。また、突設部材１３８及び傾倒保持部材１３９にはそれぞれ、対向する位置に、ホルダ１１２の軸部１３４が嵌合する軸受孔１４０が形成されている。軸部１３４が軸受孔１４０に嵌合することによって、ベース１１４は軸部１３４に軸支され、傾倒方向Ｔに傾倒自在にホルダ１１２に支持される。また、ベース１１４の外周面で突設部材１３８の外側にあたる位置には、バネ受孔１４７が設けられている。バネ受孔１４７にはスプリング１４８が挿入され、さらにスチールボール１４９が挿入される。
【００３５】
スライダ１１５は、ベース１１４及びホルダ１１２の内部に位置付けられる部材で、突設部材１３８や傾倒保持部材１３９に干渉しない形状に形成されている。スライダ１１５の外周面で左側、右側及び下方の三箇所には、ホルダ１１２の軸Ｘ（図１参照）方向に伸びるスライドガイド溝１４１が形成されている。スライドガイド溝１４１は、ホルダ１１２の内周面に形成されたスライドガイド１４２（図２参照）に係合する。スライドガイド１４２によって、スライダ１１５はホルダ１１２にスライド自在に保持される。スライダ１１５は、基板１１１に向く端部に、タクトスイッチ１２４（図２参照）に接触する接触部１１５ｂが形成されている。
【００３６】
図２に基づく説明に戻る。スライダ１１５の内側には、棒状の導光部材１２３を保持する導光部材保持孔１４３が設けられている。また、スライダ１１５は、ホルダ１１２の軸Ｘ方向に光を通過させるよう、この軸Ｘ方向に連通する３つの連通孔１６３ａ、１６３ｂ、１６３ｃが形成されている。連通孔１６３ａ、１６３ｂ、１６３ｃについては、図５に基づいて後述する。
【００３７】
プッシュノブ１１６は、円板形状の部材である。プッシュノブ１１６の左右端部には、スライダ１１５の外周面の左右に設けられた係合爪１４４に係合する係合孔１４５が設けられている。プッシュノブ１１６とスライダ１１５とは、スライド体１５０を構成する。
【００３８】
アッパー部材１１７に関し、その形状については、図５に基づいて後述する。また、開口窓１１７ａとプッシュノブ１１６の意匠面１０２との関係、及び、組付部１１７ｂとアンダー部材１１８の被組付部１１８ａとの関係については前述した。アッパー部材１１７の内周面には、クリック溝１４６（図３参照）が、円周方向に等間隔に設けられている。クリック溝１４６は、ベース１１４に取り付けられスプリング１４８に付勢されたスチールボール１４９が突き当たる。操作ノブ１０３を回転操作する操作者は、アッパー部材１１７の回転によってスチールボール１４９がアッパー部材１１７の内周面を転がりクリック溝１４６に嵌まる度に、操作ノブ１０３からクリック感を受ける。
【００３９】
図４は、係合部１５４を示す正面図である。ロータ１１３に突出形成されている突出部１２９は、短い円筒形状の突起であり、その軸方向から見ると正円形状となっている。この突出部１２９の先端は、円筒形状の後端よりも径が大きい半円球形状に形成されている。また、アンダー部材１１８に設けられている溝部１３０は、アンダー部材１１８の内周面に設けられ軸Ｘ（図１参照）方向を長手とする二つの長尺部材１５５によって形成される。操作入力装置１０１において、突出部１２９は溝部１３０に軸Ｘ方向に導入される。その結果、ロータ１１３と操作ノブ１０３の一部をなすアンダー部材１１８とは一体的に回転するようになる。また、溝部１３０が軸Ｘ方向に設けられているので、操作ノブ１０３の一部をなすアンダー部材１１８は、ロータ１１３に干渉されることなく傾倒する（図５参照）。すなわち、突出部１２９と溝部１３０とは、係合部１５４を構成する。なお、別の実施の形態として、突出部１２９がアンダー部材１１８に、溝部１３０がロータ１１３に、それぞれ設けられていても良い。
【００４０】
図５は、操作入力装置１０１を底面側から見た断面図である。操作ノブ１０３は、アッパー部材１１７とアンダー部材１１８とが組み付けられて形成される。このとき、ベース１１４は、アッパー部材１１７とアンダー部材１１８との間に挟まれて固定される。ここで、アッパー部材１１７の内周面に形成されベース１１４と接触するアッパー接触領域１５７は、ベース１１４の表面にフィットするようリング形状に形成されている。同様に、アンダー部材１１８がベース１１４と接触するアンダー接触領域１５８も、ベース１１４の表面にフィットするようリング形状に形成されている。
【００４１】
操作ノブ１０３は、正面側から見て左右に曲面部１５６を有している。曲面部１５６は、軸部１３４の軸方向から見ると、軸部１３４を中心とする円弧Ｑを描く形状に形成されている。また、スライド体１５０を構成するプッシュノブ１１６は、アッパー部材１１７の内周面にフィットする球面形状に形成されている。
【００４２】
スライド体１５０を構成するスライダ１１５は、意匠面１０２に対する操作者の押下操作によって、スライドガイド１４２（図２参照）に沿って基板１１１に近づくようホルダ１１２の軸Ｘの方向にスライドする。このスライド動作によって、スライダ１１５の接触部１１５ｂは、タクトスイッチ１２４をクリックする。クリック動作後、スライダ１１５は、タクトスイッチ１２４に内蔵された板バネ（図示せず）の付勢力により、基板１１１から離反する方向にスライドする。なお、別の実施の形態として、スライダ１１５と基板１１１との間に、スライダ１１５を基板１１１から離反させる向きに付勢するスプリングを配置してもよい。
【００４３】
図５に示すように、スライダ１１５の内側には、軸Ｘ方向に延びる細長い空間である３つの連通孔１６３ａ、１６３ｂ、１６３ｃが設けられている。図中、左側に位置する第１連通孔１６３ａは、プッシュノブ１１６の第１照明部１１０ａに対応する位置に設けられ、基板１１１側の開口端には第１照明用ＬＥＤ１２１ａが配置されている。また、右側に位置する第２連通孔１６３ｂは、プッシュノブ１１６の第２照明部１１０ｂに対応する位置に設けられ、基板１１１側の開口端には第２照明用ＬＥＤ１２１ｂが配置されている。さらに、中央に位置する中央連通孔１６３ｃは、プッシュノブ１１６の弧状矢印１０４、三角印１０５、および、「ＡＵＴＯ」、「ＤＵＡＬ」等の文字に対応する位置に設けられ、基板１１１側の開口端には中央照明用ＬＥＤ１２１ｃが配置されている。
【００４４】
また、ホルダ１１２の固定端面１１２ａには、基板１１１上に設けられた第１照明用ＬＥＤ１２１ａ、および、第２照明用ＬＥＤ１２１ｂをそれぞれ取り囲むように軸Ｘ方向に延び、軸Ｘ方向側が開口する略四角筒状の２つの遮蔽部１６４ａ、１６４ｂが設けられている。遮蔽部１６４ａ、１６４ｂは、外径が各連通孔１６３ａ、１６３ｂの内径にそれぞれ略一致する形状となっており、連通孔１６３ａ、１６３ｂの内部にそれぞれ進入して収納されている。すなわち、第１照明用ＬＥＤ１２１ａから発せられる光は、遮蔽部１６４ａ、および、第１連通孔１６３ａを通過してプッシュノブ１１６まで達し、第１照明部１１０ａを通過して第１照明部１１０ａを光らせる。また、第２照明用ＬＥＤ１２１ｂから発せられる光は、遮蔽部１６４ｂ、および、第２連通孔１６３ｂを通過してプッシュノブ１１６まで達し、第２照明部１１０ｂを通過して第２照明部１１０ｂを光らせる。なお、スライダ１１５が基板１１１に対して軸Ｘ方向に作動した場合でも、遮蔽部１６４ａ、１６４ｂは連通孔１６３ａ、１６３ｂ内に収納された状態が維持されるため、各照明用ＬＥＤ１２１ａ、１２１ｂ、１２１ｃの照明光がそれぞれ対応する連通孔１６３ａ、１６３ｂ、１６３ｃ以外の連通孔１６３ａ、１６３ｂ、１６３ｃ内に漏れることが防止される。
【００４５】
図６は、操作入力装置１０１を左側面側から見た断面図である。スライダ１１５には、プッシュノブ１１６のＤＵＡＬポインタ１０７およびＡＵＴＯポインタ１０８に対応する位置に、導光部材保持孔１４３が形成される。導光部材保持孔１４３には、軸Ｘに長さ方向が向くように、導光部材１２３が配置される。導光部材１２３は、基板１１１に配置されたポインタ用ＬＥＤ１２２からの光を一方の端面で受けると、他方の端面にまでその光を導く部材である。このため、導光部材１２３は、ポインタ用ＬＥＤ１２２からの光をＤＵＡＬポインタ１０７やＡＵＴＯポインタ１０８まで導き、これらを光らせる。
【００４６】
本実施の形態の操作入力装置１０１は、以上に述べたように各部が組み合わさって構成される。その結果、操作者は、操作入力装置１０１の操作ノブ１０３を操作するだけで、操作対象を変更し、かつ、操作対象に対する目標温度の設定を別個独立に行うことができる。その操作について、以下に述べる。
【００４７】
図７は、操作入力装置１０１の回転動作を示す、一部を破断させた正面図である。前述したように、操作ノブ１０３は、アッパー部材１１７とアンダー部材１１８とが組み付けられて構成されている。そして、アンダー部材１１８に設けられた溝部１３０には、ロータ１１３に設けられた突出部１２９が入り込んでいる（図７（ａ））。溝部１３０は、ホルダ１１２の軸Ｘ方向に延びており、このため、アンダー部材１１８が軸回り方向Ｒに動くと、溝部１３０は突出部１２９に干渉する。ここで、突出部１２９が設けられているロータ１１３は、ホルダ１１２（図２参照）の小径部１３１の外周に、回転自在に配設されている。このため、アンダー部材１１８とロータ１１３とは、軸回り方向Ｒに連動する（図７（ｂ））。一方、ホルダ１１２は、基板１１１（図２参照）に固定されている。また、スライダ１１５（図２参照）やプッシュノブ１１６は、ベース１１４や操作ノブ１０３と係合していない。このため、意匠面１０２は、操作ノブ１０３の回転動作に連動しない
（図７（ｂ））。
【００４８】
フォトインタラプタ１２５では、操作ノブ１０３の回転によりスリット１２７を通過する検出光（図示せず）が変化する。フォトインタラプタ１２５は、検出光の位相を９０度変えるよう二つ設けられているため、フォトインタラプタ１２５から出力される電気信号によって、操作ノブ１０３の回転量だけでなく、操作ノブ１０３が軸回り方向Ｒのどちら向きに回転したかを把握することもできる。
【００４９】
図８は、ベース１１４の動きを示す平面図である。なお、説明の便宜上、図８の平面図では、ベース１１４を１８０度回転させて示している。前述したように、ベース１１４に設けられた軸受孔１４０には、ホルダ１１２に設けられた軸部１３４が嵌合する。このため、ベース１１４は、ホルダ１１２に傾倒方向Ｔに傾倒自在に軸支される。
【００５０】
ベース１１４の内周面には、回転規制突部１３６が突設されている（図８（ｂ）及び図８（ｃ）にのみ、点線で示す）。回転規制突部１３６は、概ね三角形形状の平板部材であり、ベース１１４の中心に向かうように配置されている。この回転規制突部１３６の底辺は、ベース１１４の中心から外側に向けて高くなる斜辺１３６ａとなっている。一方、ホルダ１１２の大径部１３２の外周面には、回転規制突部１３６の下方にあたる位置に、回転規制受部１３５が突設されている。回転規制受部１３５は、上方に向けられた平坦な当接面１３５ａを有する。当接面１３５ａは、ベース１１４が傾倒することで下方に下がった回転規制突部１３６の斜辺１３６ａと当接する。その結果、ベース１１４の傾倒動作は所定の位置で規制される。
【００５１】
図９は、操作入力装置１０１の傾倒動作を示す、底面側から見た断面図である。前述したように、ベース１１４は、アッパー部材１１７とアンダー部材１１８とに挟まれている。このため、ベース１１４が傾倒方向Ｔに傾倒すると、操作ノブ１０３も連動して傾倒する。すなわち、操作ノブ１０３は、ベース１１４の回転軸である軸部１３４を中心として回動可能であり、プッシュノブ１１６の意匠面１０２に沿って左右方向にスライド移動可能となっている。ここで、アンダー部材１１８に設けられた溝部１３０は、ホルダ１１２の軸Ｘ方向に向けて形成されているため、操作ノブ１０３が傾倒方向Ｔに傾倒しても、ロータ１１３に設けられた突出部１２９によって操作ノブ１０３の傾倒動作が干渉されることはない。さらに、プッシュノブ１１６の表面は、アッパー部材１１７の内周面にフィットする球面形状となっているため、プッシュノブ１１６によっても操作ノブ１０３の傾倒動作が干渉されることはない。
【００５２】
また、操作ノブ１０３には、軸部１３４を中心とする正円形状を描く曲面部１５６を有している。このため、操作ノブ１０３が傾倒しても、操作ノブ１０３とインスツルメントパネル１０１ａとの間隔が広がることがなく、開口部１０１ｂからゴミ等の異物が侵入しにくい。また、インスツルメントパネル１０１ａに配置した操作入力装置１０１に対し、操作ノブ１０３を傾倒する操作を行っても、その操作によって外観が変化することなく、見栄えも良い。
【００５３】
なお、操作ノブ１０３が中立位置にある場合には、図１、および、図９（ｂ）に示すように、操作ノブ１０３の開口窓１１７ａからプッシュノブ１１６の第１照明部１１０ａ、および、第２照明部１１０ｂの両方ともが外部に露出している。そして、中立位置にある操作ノブ１０３を第１照明部１１０ａ側に傾倒操作すると、図９（ａ）に示すように、操作ノブ１０３の開口窓１１７ａが第１照明部１１０ａ側にスライド移動し、第２照明部１１０ｂの前面側は、操作ノブ１０３によって閉塞される。したがって、操作ノブ１０３が左傾倒位置にあるときには、操作ノブ１０３の開口窓１１７ａからは、第１照明部１１０ａの「Ｌ」の文字のみが外部に露出し、第２照明部１１０ｂの「Ｒ」の文字は外部より目視不能となる。これにより、操作者は、操作ノブ１０３が左側に傾倒操作された状態であることを容易に認識できる。また、中立位置にある操作ノブ１０３を第２照明部１１０ｂ側に傾倒操作すると、図９（ｃ）に示すように、操作ノブ１０３の開口窓１１７ａが第２照明部１１０ｂ側にスライド移動し、第１照明部１１０ａの前面側は、操作ノブ１０３によって閉塞される。したがって、操作ノブ１０３が右傾倒位置にあるときには、操作ノブ１０３の開口窓１１７ａからは、第２照明部１１０ｂの「Ｒ」の文字のみが外部に露出し、第１照明部１１０ａの「Ｌ」の文字は外部より目視不能となる。これにより、操作者は、操作ノブ１０３が右側に傾倒操作された状態であることを容易に認識できる。
【００５４】
一方、アッパー部材１１７のアッパー接触領域１５７、及び、アンダー部材１１８のアンダー接触領域１５８は、いずれもベース１１４の表面にフィットするリング形状に形成されている。このため、操作ノブ１０３は、ベース１１４に対して回転することができる。ところで、操作ノブ１０３を傾倒させると、操作ノブ１０３の回転軸とロータ１１３の回転軸がずれることになる。このため、操作ノブ１０３が傾倒している状態では、操作ノブ１０３に備わる溝部１３０に対し、ロータ１１３に備わる突出部１２９が鋭角方向に接することがある。この場合でも、突出部１２９の先端は後端よりも径が大きい半円球形状に形成されているため、突出部１２９の先端および後端が溝部１３０の内壁に引っかかることがなくなる。その結果、操作者は、操作ノブ１０３をスムーズに回転させることができる。
【００５５】
ここで、再び図８を参照する。ベース１１４から垂下する突設部材１３８の先端には、凹形状に形成された操作部１３７が形成されている。そして、この凹形状には、揺動スイッチ１２６の揺動体１２６ａが入り込んでいる（図８（ｂ））。このため、ベース１１４が傾倒方向Ｔに揺動することによって揺動体１２６ａは揺動し、揺動スイッチ１２６から出力される電気信号が変化する。すなわち、操作部１３７と揺動スイッチ１２６とは、ベース１１４の傾倒を検知する傾倒検知部（スライド検知部）１５９を構成する。このように、ベース１１４の傾倒移動を１つのスイッチで検知することが可能であり、部品点数を少なくできる。
【００５６】
ところで、揺動スイッチ１２６は、ホルダ１１２の外周上面に形成された凹部１３３内に位置付けられる。また、操作部１３７を有する突設部材１３８も、図２に基づいて前述したように、この凹部１３３内に位置付けられている。すなわち、傾倒検知部１５９は、凹部１３３内に位置付けられている。そして、凹部１３３によって、傾倒検知部１５９をロータ１１３の内側に配置することができ、ひいては操作入力装置１０１全体の小型化を図ることが可能になる。
【００５７】
図１０は、傾倒保持機構１０６の動きを示す正面図である。なお、この図１０は、傾倒保持機構１０６の動きを図６の矢印Ａの方向から見た矢視図でもある。ベース１１４の内周面に設けられている傾倒保持部材１３９は、右片１３９ａと左片１３９ｂとこれらを接続する接続片１３９ｃとを有するコ字形状を有していて、下方に開くよう設けられている。傾倒保持部材１３９の内側で接続片１３９ｃには、四つの球状突起１６０が列状に設けられている。
【００５８】
傾倒保持部材１３９の内側には、ホルダ１１２に設けられたバネ受孔１５１、スプリング１５２及びスチールボール１５３が位置付けられる。スチールボール１５３は、球状突起１６０の間に列状に形成される三つのボール保持凹部１６１のうちのいずれかに当接する。そして、スチールボール１５３は、スプリング１５２に付勢されて傾倒保持部材１３９を動かないように保持する。すなわち、傾倒保持部材１３９とスプリング１５２とスチールボール１５３とは、ホルダ１１２に対するベース１１４の傾倒状態を保持する傾倒保持機構１０６を構成する。
【００５９】
図１０（ａ）には、操作ノブ１０３が中立位置にある場合の傾倒保持機構１０６が示されている。ここで、操作者が操作ノブ１０３を右方向に傾倒させるよう操作ノブ１０３に力を加えると、球状突起１６０はスチールボール１５３を押し下げ、ベース１１４全体が右方向に傾倒し、スチールボール１５３は、左隣のボール保持凹部１６１に嵌まり込む。この状態で、傾倒保持部材１３９は、スチールボール１５３に保持される。その結果、操作ノブ１０３は、右方向に傾倒されたままの状態が維持される（図１０（ｂ））。操作ノブ１０３が左方向に傾倒された場合も、操作ノブ１０３は、傾倒保持機構１０６によって左方向に傾倒されたままの状態が維持される。このように、傾倒保持機構１０６によって、操作ノブ１０３は、左傾倒位置、中立位置、右傾倒位置のいずれかの位置で保持される。
【００６０】
図１１に示す制御部２０１は、上述した操作入力装置１０１の各操作に対応して、空調装置を駆動制御するとともに、操作入力装置１０１の照明部１０９の照明制御を行うものである。制御部２０１は、演算装置であるＣＰＵ（図示せず）と、制御プログラム等が予め記憶された読み取り専用記憶装置であるＲＯＭ（図示せず）と、読み書き可能な主記憶装置でありワークエリアとして使用されるＲＡＭ（図示せず）等によって構成されている。この制御部２０１には、上述したように、各ドライブ回路２０２ａ〜２０２ｅを介して照明用ＬＥＤ１２１ａ、１２１ｂ、１２１ｃ、および、ポインタ用ＬＥＤ１２２ａ、１２２ｂが電気的に接続されている。各ドライブ回路２０２ａ〜２０２ｅは、制御部２０１からの制御信号によってトランジスタ等のスイッチング素子を作動させ、電源と各ＬＥＤ１２１、１２２との接続を切り替える周知のスイッチング回路であり、照明用ＬＥＤ１２１、および、ポインタ用ＬＥＤ１２２は、制御部２０１の制御信号によって点灯／消灯する。また、制御部２０１には、タクトスイッチ１２４、フォトインタラプタ１２５、および、揺動スイッチ１２６が電気的に接続され、制御部２０１は、各スイッチ１２４、１２６、および、フォトインタラプタ１２５からの電気信号によって、操作ノブ１０３の傾倒操作、および、回転操作、そして、プッシュノブ１１６の押込み操作を検知する。さらに、制御部２０１には、夜間走行時にＯＮ操作される車体側の前照灯スイッチ２０３が電気的に接続されている。
【００６１】
次に、本実施形態の操作入力装置１０１の操作に対する制御部２０１の制御について説明する。
【００６２】
操作者は、空調装置における運転席側や助手席側の目標温度を設定するために、以上に述べたような動きをする操作ノブ１０３に力を加えて左右いずれかの方向に倒し、その状態で操作ノブ１０３を軸回り方向Ｒの方向に回転させる。操作ノブ１０３が傾倒されることで、揺動スイッチ１２６からは、操作ノブ１０３が傾倒された方向に対応した電気信号が出力される。また、操作ノブ１０３が回転されることで、フォトインタラプタ１２５からは、操作ノブ１０３の回転量及び回転の向きに対応した電気信号が出力される。これらの電気信号を受信した空調装置の制御部２０１は、受信した電気信号に応じた処理を行い、運転席側の目標温度と助手席側の目標温度とを別個独立に変化させ、その変化後の目標温度に応じた空調制御を行う。また、制御部２０１は、タクトスイッチ１２４から送信される電気信号に応じて、ＡＵＴＯモードへのモード切替を行い、ＡＵＴＯモードであれば設定された温度に対応して風の温度、風量、および、送風方向の自動制御を行う。このように、本実施の形態の操作入力装置１０１によれば、操作ノブ１０３を動かすことにより、ベース１１４を傾倒する操作とロータ１１３を回転する操作とを独立させて行うことが出来る。すなわち、本実施の形態の操作入力装置１０１によれば、一つの操作ノブ１０３のみで、操作対象を変更でき個々の操作対象に対する設定を別個独立に行うことができる。また、本実施の形態の操作入力装置１０１によれば、操作対象の選択と個々の操作対象に対する設定とを操作ノブ１０３から手を離すことなく、一連の切替操作によって行うことが出来る。さらに、本実施の形態の操作入力装置１０１では、操作ノブ１０３は傾倒保持機構１０６によって操作した傾倒位置に保持されるため、操作者が操作ノブ１０３を傾倒位置に保持しておく動作は不要であり、操作ノブ１０３の回転操作を簡単に力を入れることなく行うことができる。
【００６３】
次に、制御部２０１の照明制御について、詳細に述べる。制御部２０１は、前照灯スイッチ２０３がオン状態で、かつ、操作ノブ１０３が中立位置にあるときには、３つの照明用ＬＥＤ１２１ａ、１２１ｂ、１２１ｃを点灯させ照明部１０９全体を照明する。一方、制御部２０１は、前照灯スイッチ２０３がオン状態で、かつ、操作ノブ１０３が左傾倒位置にあるときには、３つの照明用ＬＥＤ１２１の内、左側の第１照明用ＬＥＤ１２１ａ、及び、中央の中央照明用ＬＥＤ１２１ｃを点灯させるとともに右側の第２照明用ＬＥＤ１２１ｂを消灯し、第２照明部１１０ｂの照明をやめる。これは、操作ノブ１０３の左傾倒によって前面側が覆われる第２照明部１１０ｂの照明光が、操作ノブ１０３とプッシュノブ１１６との間から外部に漏れるのを防止するための制御である。また、空調装置の制御部２０１は、前照灯スイッチ２０３がオン状態で、かつ、操作ノブ１０３が右傾倒位置にあるときには、３つの照明用ＬＥＤ１２１の内、右側の第２照明用ＬＥＤ１２１ｂ、及び、中央の中央照明用ＬＥＤ１２１ｃを点灯させるとともに左側の第１照明用ＬＥＤ１２１ａを消灯し、第１照明部１１０ａの照明をやめる。これは、操作ノブ１０３を左傾倒させた場合と同様に、操作ノブ１０３の右傾倒によって前面側から覆われる第１照明部１１０ａの照明光が、操作ノブ１０３とプッシュノブ１１６との間から外部に漏れるのを防止するための制御である。なお、操作ノブ１０３の傾倒状態は、傾倒検知部１５９によって検知可能であり、空調装置の制御部２０１は、傾倒検知部１５９からの信号によって操作ノブ１０３の傾倒状態を判断する。
【００６４】
このように、本実施形態の操作入力装置１０１においては、操作ノブ１０３の操作によって第１照明部１１０ａが操作ノブ１０３の開口窓１１７ａからずれて、第１照明部１１０ａの前面側が操作ノブ１０３によって閉塞された場合、第１照明部１１０ａを照明する第１照明用ＬＥＤ１２１ａを消灯状態とするように構成しているため、第１照明部１１０ａを照明する光が、操作ノブ１０３とプッシュノブ１１６との間から外部に漏れることを防止できる。また、第１照明用ＬＥＤ１２１ａを消灯状態とすることで、消費電力を削減することができる。
【００６５】
また、操作ノブ１０３の操作によって第１照明部１１０ａの閉塞が解除され、第１照明部１１０ａが操作ノブ１０３の開口窓１１７ａから外部に露出する状態では、第１照明用ＬＥＤ１２１ａを点灯状態とするように構成している。これにより、第１照明部１１０ａが外部より目視可能な状態では、第１照明部１１０ａを照明された状態に復帰させることが可能となる。
【００６６】
さらに、操作ノブ１０３が左傾倒位置に移動して、第１照明部１１０ａを照明する第１照明用ＬＥＤ１２１ａが消灯状態となっても、第２照明部１１０ｂは第２照明用ＬＥＤ１２１ｂによって照明された状態となっているため、照明部１０９全体の照明が消えることなく、夜間でも操作ノブ１０３の操作状態等を確認することが可能となる。
【００６７】
なお、本発明の操作入力装置１０１は、前記実施形態の構成に限定されるものではなく、本発明の趣旨を逸脱しない範囲において、種々の変更、追加を行って実施することが可能である。例えば、本実施形態においては、操作ノブ１０３は、プッシュノブ１１６の外周に沿って傾倒移動するように構成しているが、これに限定されるものではなく、例えば、操作ノブ１０３は、直線移動するものであってもよく、周知のスライドスイッチに採用可能である。また、本実施形態においては、操作ノブ１０３は、中立位置、左傾倒位置、右傾倒位置に保持可能であるが、操作ノブ１０３は、左傾倒位置、右傾倒位置のみで保持されるようにしてもよい。この場合、操作ノブ１０３の左傾倒位置が第１操作位置に該当し、右傾倒位置が第２操作位置に該当する。本実施形態においては、各照明部１１０ａ、１１０ｂをそれぞれ１つのＬＥＤの光によって照明しているが、１つの照明部１１０ａを複数の光源（ＬＥＤ以外でもよい）によって照明するようにしてもよい。
【００６８】
本実施形態においては、傾倒検知部（スライド検知部）１５９を１つの揺動スイッチ１２６を用いて構成しているが、これに限定されるものではなく、例えば、２つのプッシュスイッチ、あるいは、ベース１１４の操作部１３７側に可動接点、基板１１１側に複数の固定接点を設けて、ベース１１４の操作部１３７の傾倒を検知するようにしてもよい。また、本実施形態においては、制御部２０１は、空調装置側に設けられ、空調装置を駆動制御する機能、および、操作入力装置１０１の照明部１０９の照明制御を行う機能を備えているが、制御部２０１は、照明制御のみを行うものであってもよく、操作入力装置１０１側に設けるようにしてもよい。
【００６９】
本実施形態においては、制御部２０１として、ＣＰＵを内蔵したマイコンを採用しているが、これに限定されるものではなく、傾倒検知部（揺動スイッチ１２６）からの信号に応じて照明用ＬＥＤ１２１ａ、１２１ｂの点灯および消灯を切替可能なものであれば、いかなる形態のものであってもよい。例えば、制御部は、揺動スイッチ１２６の検知信号をドライブ回路２０２ａ、２０２ｂに直接入力し、その検知信号に応じてトランジスタ等のスイッチング素子を切り替えて、電源と各ＬＥＤ１２１ａ、１２１ｂとの接続をオン、オフするようにしたハード的な演算回路を用いて構成してもよい。
【００７０】
なお、上記の説明では、操作入力装置１０１を空調装置における目標温度を設定する操作に用いる場合について述べた。本実施の形態の操作入力装置１０１は、このような用途だけでなく、例えば、運転席側と助手席側とのそれぞれに吹き出される空調装置からの風量調節（ファン）操作や、吹き出し口からの送風方向の操作の用途に用いてもよい。
【００７１】
また、本発明の操作入力装置の用途は、運転席側と助手席側とを個別に調整するだけに限らず、例えば、操作ノブが中央位置では目標温度設定操作、操作ノブを左に傾倒させると風量調節操作、右に傾倒させると吹き出し口からの送風方向の操作、というように、全く独立した別の操作対象を、操作ノブの傾倒方向にそれぞれ対応させるようにして構成してもよい。この場合、操作ノブの傾倒方向に対応する操作対象を示すマーク（照明部）を、操作ノブの意匠面に標記するようにしてもよい。また、本発明の操作入力装置は、空調装置を操作するものに限定されるものではなく、操作ノブをスライド操作して機能を選択する操作入力装置が必要なあらゆる機器に採用可能である。
【符号の説明】
【００７２】
１０１・・・操作入力装置
１０３・・・操作ノブ
１０９・・・照明部
１１０ａ・・・第１照明部
１１０ｂ・・・第２照明部
１１６・・・プッシュノブ（表示パネル）
１１７ａ・・・開口窓
１２１ａ・・・第１照明用ＬＥＤ（第１光源）
１２１ｂ・・・第２照明用ＬＥＤ（第２光源）
１２６・・・揺動スイッチ（スライド検知部）
２０１・・・制御部
【図１】
2011016452.tif 000003
【図２】
2011016452.tif 000004
【図３】
2011016452.tif 000005
【図４】
2011016452.tif 000006
【図５】
2011016452.tif 000007
【図６】
2011016452.tif 000008
【図７】
2011016452.tif 000009
【図８】
2011016452.tif 000010
【図９】
2011016452.tif 000011
【図１０】
2011016452.tif 000012
【図１１】
2011016452.tif 000013
【図１２】
2011016452.tif 000014